(57)【特許請求の範囲】
【請求項１】
火工品にバッテリーから電流制限用抵抗を介して点火電流を供給する点火リレーおよび点火指令信号により前記点火リレーを制御する点火制御リレーを含むオードナンス制御回路において、
前記点火制御リレーは、前記点火指令信号が供給されて接点をオンとして前記点火リレーの駆動部を駆動する接点セット用駆動コイルおよび接点リセット用駆動コイルを含むラッチングリレーであると共に、前記点火リレーに直列接続され、前記点火リレーの駆動部を駆動する第１接点および前記電流制限用抵抗に直列接続され、前記火工品の点火時以外は電源を遮断する第２接点を有することを特徴とするオードナンス制御回路。
【請求項２】
前記点火制御リレーの前記接点リセット用駆動コイルには、前記点火指令信号を受けるドライブ回路で制御される電子スイッチが接続されることを特徴とする請求項１に記載のオードナンス制御回路。
【請求項３】
前記点火リレーおよび前記電流制限用抵抗は、それぞれ複数個並列接続され、複数の火工品群を接続可能にし、前記点火リレーの前記第２接点は、それぞれ直列接続された前記点火リレーおよび前記電流制限用抵抗の共通接続点に接続されることを特徴とする請求項１又は２に記載のオードナンス制御回路。
【請求項４】
前記点火制御リレーの前記第２接点は、衛星バッテリーに接続され、前記点火制御リレーの前記第１接点は、高電圧の電源に接続されることを特徴とする請求項１、２又は３の何れかに記載のオードナンス制御回路。
【発明の詳細な説明】
【０００１】
【発明の属する技術分野】
本発明はオードナンス制御回路、特に人工衛星に搭載され、太陽電池パネルおよびアンテナ等を展開させるために使用するのに好適なオードナンス制御回路に関する。
【０００２】
【従来の技術】
オードナンス制御回路は、一般に人工衛星の太陽電池パネルおよび衛星アンテナの展開に使用される火工品の点火制御を実行する回路である。ロケットにより打ち上げられる衛星をロケット本体から分離した後の初期段階において、火工品の点火制御が実行され、その機能を完了する。オードナンス制御回路は、衛星のミッション（実用又は耐用）期間とは直接関係なく短期間の内に使用される機能である。しかし、衛星にとってはこの機能が重要であり、オードナンス制御回路が誤動作し、火工品が誤点火され目的と違った状況下で太陽電池パネルやアンテナが展開してしまうと、衛星にとって致命的な影響となる。このため、オードナンス制御回路の動作は確実性又は高度の信頼性が要求される。
【０００３】
斯かるオードナンス制御回路の従来技術は、例えば特開平１０−１６９００号、特開平１−２８５３１１号、実開昭６２−１５７６９８号および実開昭６３−１３１９００号公報の「オードナンス制御回路」および特開平７−６８４９９号公報の「火工品点火装置」等に開示されている。斯かる従来のオードナンス制御回路の典型的な構成を図３に示す。図３のオードナンス制御回路２０は、直列接続された複数のセル１０ａ〜１０ｎより構成される衛星バッテリー（電池）１０および火工品群３０に接続されている。この特定例にあっては、火工品群３０は、ＥＥＤ１〜ＥＥＤ４の４個を含み、オードナンス制御回路２０により制御されるよう構成されている。
【０００４】
オードンス制御回路２０の端子Ｔ１は、衛星バッテリー１０のセル１０ａおよび１０ｂ間に接続される。端子Ｔ１２は、衛星バッテリー１０（又はセル１０ｎの）負極に接続される。また、端子Ｔ４〜Ｔ７は、火工品群３０の各ＥＥＤ１〜ＥＥＤ４の陽極にそれぞれ接続される。端子Ｔ８〜Ｔ１１は、火工品群３０のＥＥＤ１〜ＥＥＤ４の負極にそれぞれ接続される。更に、端子Ｔ２およびＴ３は、点火指令信号源に接続される。オードナンス制御回路２０は、１個の点火制御リレーＫ０と、火工品ＥＥＤの個数に対応して増加する点火リレーＫ１〜Ｋ４、点火リレーと１対１で対応する電流制限用抵抗Ｒ１〜Ｒ４を備える。これら点火制御リレーＫ０および点火リレーＫ１〜Ｋ４には、ノンラッチリレーを使用している。
【０００５】
上述した点火制御リレーＫ０の駆動部（Ｓ０＿ＳＥＴ）は、端子Ｔ２およびＴ３に接続され、接点Ｓ０の一端は、端子Ｔ１に接続される。また、接点Ｓ０の他端は、点火リレーＫ１〜Ｋ４の接点駆動部の一端に接続される。点火リレーＫ１〜Ｋ４の接点駆動部の他端は、端子Ｔ１２に接続される。電流制限用抵抗Ｒ１〜Ｒ４の一端は端子Ｔ１に接続され、他端は点火リレーＫ１〜Ｋ４接点の一端に、それぞれリレーＫ１の一端と電流制限抵抗Ｒ１の他端、リレーＫ２の一端と電流制限抵抗Ｒ２の他端の如く順次接続される。点火リレーＫ１〜Ｋ４の他端は、端子Ｔ４〜Ｔ７に、それぞれリレーＫ１の他端と端子Ｔ４、リレーＫ２の他端と端子Ｔ５の如く接続される。上述の如く構成されたオードナンス制御回路２０では、点火指令信号が点火制御リレーＫ０の駆動部Ｓ０＿ＳＥＴに印加されると、接点が閉じ、点火リレーＫ１〜Ｋ４の駆動部に同時に駆動電流が流れる。このとき、点火リレーＫ１〜Ｋ４の接点が閉じるため、火工品群３０の各火工品ＥＥＤ１〜ＥＥＤ４に点火電流（Ｉ１〜Ｉ４）が流れ、火工品が点火することにより目的の動作が達成される。
【０００６】
上述した如く、人工衛星に搭載される火工品の点火制御は、打ち上げ初期段階の短期間での確実な点火動作が要求される。しかし、近年の人工衛星の大型化に伴うロケットの大型化により、打ち上げ時の振動および衝撃レベルが増大し、火工品の誤点火が起こる可能性が増加している。特に、従来のオードナンス制御回路に使用されている点火制御リレーおよび点火リレーは、上述の如くノンラッチリレーである。そして、接点のばね機構は、ばね力のみで維持されており、振動等の外的要因に弱いという構造的な特性を有するので、誤動作および破損の可能性が大きい。事実、宇宙耐環境条件による誤動作および破損が過去において確認されている。従来のオードナンス制御回路２０では、斯かる振動・衝撃により点火制御リレーの誤動作のみで複数の点火リレーが誤動作を起こし、それに接続されている火工品が点火してしまう。
【０００７】
また、点火リレーのうち１つでも誤動作することでも火工品が誤点火してしまう。更に、点火制御リレーの接点が閉じた状態で故障し且つ火工品の点火後に陽極と陰極間で導通（異常時）すると、バッテリー電力が常時消費されバッテリーを破損してしまい、衛星のミッションに致命的な影響を及ぼすこととなる。また、衛星打ち上げ初期段階の太陽電池パネル展開前は、衛星バッテリーの電源供給のみとなっており、バッテリー電圧は電力供給時間に伴い徐々に下がっていくため、火工品の点火タイミング時に点火リレー駆動部電圧が接点感動電圧以下となってしまい、接点のＯＮ／ＯＦＦができなくなる可能性がある。
【０００８】
【発明が解決しようとする課題】
上述した如き従来のオードナンス制御回路は、次の如き幾つかの課題を有する。第１に、点火制御リレーのみの誤動作で複数の点火リレーが誤動作し、それに接続されている火工品が必ず誤点火することである。その理由は、点火制御リレーに使用しているノンラッチリレーは、ロケット打ち上げ時に生じる振動・衝撃に弱く接点が誤動作する虞があるためである。第２に、従来の技術において複数の点火リレーが１つでも誤動作することで、それに接続されている火工品が誤点火することである。その理由は、複数の点火リレーに使用しているノンラッチリレーは、ロケット打ち上げ時に生じる振動・衝撃に弱く接点が誤動作し得るためである。
【０００９】
第３に、従来の点火制御リレーの接点が閉じたまま破損し且つ火工品の点火後に陽極と陰極間が導通（異常時）した場合には、バッテリー電力が常時消費されバッテリーが破損することである。その理由は、点火制御リレーに使用しているノンラッチリレーが太陽電池パネル又はアンテナの展開時に生じる衝撃に弱いためである。第４に、バッテリー電力が供給されている点火リレー駆動部の電圧が接点感動電圧以下となり、接点ＯＮ／ＯＦＦの駆動ができなくなる可能性があることである。特に、オードナンス制御回路は、確実性を追求されるため、少しでも可能性があると問題となる。その理由は、衛星打ち上げ初期段階の太陽電池パネル展開前にはバッテリーの電源供給のみであり、バッテリー電圧が供給時間に伴い徐々に下がっていくため、火工品の点火時にはリレー駆動部の感動電圧以下となる可能性があるためである。
【００１０】
【発明の目的】
従って、本発明の目的は、上述した従来技術の課題を解決し、部品点数の増加を最小限に抑え且つ制御信号インタフェースを増加させることなく火工品の誤点火のリスクを低減させ且つ衛星バッテリーの破損を防止し、更に火工品の点火を確実に行うことのできるオードナンス制御回路を提供することである。
【００１１】
【課題を解決するための手段】
本発明のオードナンス制御回路は、火工品にバッテリーから電流制限用抵抗を介して点火電流を供給する点火リレーおよび点火指令信号により前記点火リレーを制御する点火制御リレーを含むオードナンス制御回路において、
前記点火制御リレーは、前記点火指令信号が供給されて接点をオンとして前記点火リレーの駆動部を駆動する接点セット用駆動コイルおよび接点リセット用駆動コイルを含むラッチングリレーであると共に、前記点火リレーに直列接続され、前記点火リレーの駆動部を駆動する第１接点および前記電流制限用抵抗に直列接続され、前記火工品の点火時以外は電源を遮断する第２接点を有するオードナンス制御回路である。
【００１２】
また、本発明のオードナンス制御回路の好適実施形態例によると、点火接点制御リレーの接点リセット用駆動コイルには、点火指令信号を受けるドライブ回路により制御される電子スイッチが接続される。点火リレーおよび電流制限用抵抗は、それぞれ複数並列接続され、複数の火工品群の接続を可能とし、点火制御リレーの第２接点は、それぞれ直列接続された点火リレーおよび電流制限用抵抗の共通接続点に接続される。また、点火制御リレーの第２接点は、衛星バッテリーに接続され、点火制御リレーの第１接点は、高電圧の電源に接続される。
【００１３】
【発明の実施の形態】
次に、本発明によるオードナンス制御回路の好適実施形態例の構成および動作を、添付図を参照して詳細に説明する。尚、本発明の実施形態例において、上述した従来技術の構成要素に対応する構成要素には、説明の便宜上、同様の参照符号を使用することとする。また、同一符号を付して示す構成要素の重複説明は極力避けることとする。
【００１４】
図１は、本発明によるオードナンス制御回路の好適実施形態例を含むオードナンス回路の全体構成を示す。オードナンス制御回路２０Ａは、端子Ｔ１〜Ｔ１２を有し、端子Ｔ１およびＴ１２間に複数のセル１０ａ〜１０ｎよりなるバッテリー（衛星バッテリー）１０が接続される。また、端子Ｔ４〜Ｔ１１には、火工品群３０の複数（４個）の火工品ＥＥＤ１〜ＥＥＤ４が接続されている点で上述した図３のオードナンス制御回路２０と同様である。
【００１５】
図１のオードナンス制御回路２０Ａの図３に示す従来のオードナンス制御回路２０との相違点は次のとおりである。第１に、点火制御リレーＫ０がラッチングリレーである。これに伴い接点リセット用駆動コイルＳ０＿ＲＳＴが追加されている。第２に、この接点リセット用駆動コイルＳ０＿ＲＳＴの電源ラインをＯＮ／ＯＦＦ（オン・オフ）するＦＥＴスイッチ（電子スイッチ）ＳＷ１が追加されている。第３に、ＦＥＴスイッチＳＷ１をドライブするドライブ回路ＤＲＶ１が追加されている。第４に、ラッチングリレーＫ０の接点は、接点（第１接点）Ｓ０１および接点（第２接点）Ｓ０２の２個を有している。第５に、点火リレー駆動コイルの電源をリレー不感動電圧に下がるまでに余裕がある＋２８Ｖからの供給としている。
【００１６】
接点駆動コイルＳ０＿ＲＳＴの陽極端子側は＋２８Ｖ電源に接続され、陰極側は電源ラインＯＮ／ＯＦＦ用ＦＥＴスイッチＳＷ１のドレインＤと接続されている。ＦＥＴスイッチＳＷ１のソースＳは、端子Ｔ１２に接続されている。また、点火制御リレーＫ０の接点セット用駆動コイルＳ０＿ＳＥＴは、従来通り点火指令信号の入力ラインであるが、その点火制御信号をドライブ回路ＤＲＶ１に分配するため接点セット用駆動コイルＳＯ＿ＳＥＴの陽極と陰極からそれぞれドライブ回路ＤＲＶ１に信号ラインが接続されている。
【００１７】
ラッチングリレーＫ０の接点Ｓ０１は、一端が＋２８Ｖ電源に接続され、他端は点火リレー駆動コイル（駆動部）Ｋ１〜Ｋ４の一端に接続されている。点火リレー駆動コイルＫ１〜Ｋ４の他端は、図３に示す従来のオードナンス制御回路２０と同様に接続されている。ラッチングリレーＫ０の接点Ｓ０２は、一端が端子Ｔ２に接続され、他端が電流制限用抵抗Ｒ１〜Ｒ４に接続されている。これら電流制限用抵抗Ｒ１〜Ｒ４の他端は、図３に示す従来のオードナンス制御回路２０と同様に接続されている。
【００１８】
次に、図１に示す本発明によるオードナンス制御回路２０Ａの動作を説明する。このオードナンス制御回路２０Ａは、衛星バッテリー１０より供給される電力を点火リレーＫ１〜Ｋ４によりＯＮ／ＯＦＦ制御し、火工品群３０の各ＥＥＤ１〜ＥＥＤ４に供給する。点火リレーＫ１〜Ｋ４の制御は、点火制御リレーＫ０により行われる。点火制御リレーＫ０は、ＦＥＴスイッチＳＷ１のＯＮ／ＯＦＦと点火指令信号により制御される。衛星打ち上げ時から点火指令信号を受ける間、点火制御リレーＫ０は、ＦＥＴスイッチＳＷ１のＯＮにより接点リセット用駆動コイルＳ０＿ＲＳＴ側に常時電力を供給しており、接点Ｓ０１および接点０２がリセット（ＯＰＥＮ）で固定されている。点火制御リレーＫ０の接点Ｓ０１および接点Ｓ０２が、リセットで電磁力により固定されることで点火リレー駆動部Ｋ１〜Ｋ４へのドライブ信号が出力されず、同時に接点Ｓ０２により衛星バッテリー１０のラインが切断されており電源が供給されない。このため、火工品群３０のＥＥＤ１〜ＥＥＤ４への電力供給／出力が遮断される。
【００１９】
また、点火指令信号を受けたときには、ＦＥＴスイッチＳＷ１がＯＦＦとなり、点火制御リレー接点リセット用駆動コイルＳ０＿ＲＳＴへの電力供給がクリアーされ、逆に点火制御リレー接点セット用駆動コイルＳ０＿ＳＥＴに電力が供給される。接点セット用駆動コイルＳ０＿ＳＥＴに電力が供給されると、点火制御リレーＫ０の接点Ｓ０１およびＳ０２が同時にセットされる。接点Ｓ０１がセットすることにより、点火リレー駆動部Ｋ１〜Ｋ４にドライブ信号が出力され、点火リレーＫ１〜Ｋ４接点がセット（導通）となる。そして、接点Ｓ０２がセットされることで、衛星バッテリー１０ラインが導通となる。従って、衛星バッテリー１０の電源が点火リレー接点Ｋ１〜Ｋ４を介して火工品群３０のＥＥＤ１〜ＥＥＤ４に供給出力され、火工品群３０が点火し目的の動作を達成する。
【００２０】
尚、火工品群３０に衛星バッテリー１０が一定時間供給された後、点火指令信号はクリアーされる。そして、点火制御リレーＫ０の接点セット用駆動コイルＳ０＿ＳＥＴへの電力供給がクリアーされる。同時に、ＦＥＴスイッチＳＷ１がＯＮとなり、点火制御リレーＳ０＿ＲＳＴへ再び電力が供給され、接点Ｓ０１およびＳ０２がリセットとなる。そこで、点火リレー駆動部Ｋ１〜Ｋ４にドライブ信号が出力されなくなり且つ衛星バッテリー１０ラインが遮断される。ここで、ＦＥＴスイッチＳＷ１は、ドライブ回路ＤＲＶ１によりゲートＧに制御信号が入力されてＯＮ／ＯＦＦ制御される。ドライブ回路ＤＲＶ１は、点火指令信号を検出する。点火指令信号が印加されていないときは、ＦＥＴスイッチＳＷ１をＯＮにし、点火指令信号を受けたときは、ＯＦＦとしている。更に、点火リレーＫ１〜Ｋ４のリレー接点駆動用コイルおよび点火制御リレーＫ０の接点リセット用駆動コイルＳ０＿ＲＳＴの信号を＋２８Ｖ電源（常時電源）より入力しているため、太陽電池パネルおよび衛星アンテナの展開のタイミングまでリレー接点が不感動電圧に至らず火工品群３０の各ＥＥＤ１〜ＥＥＤ４の点火を確実に制御することができる。
【００２１】
次に、図１のオードナンス回路を構成する本発明によるオードナンス制御回路２０Ａの好適実施形態例の構成を、図２を参照して詳細に説明する。このオードナンス制御回路２０Ａは、４個の出力を有する。図２に示すオードナンス制御回路２０Ａは、１個のラッチング点火制御リレーＫ０、４個のノンラッチ点火リレーＫ１〜Ｋ４、これらノンラッチリレーＫ１〜Ｋ４と対応する電流制限用（巻線）抵抗Ｒ１〜Ｒ４、ラッチングリレーＫ０の接点リセット用駆動コイルを制御する１個のＦＥＴスイッチＳＷ１、ＦＥＴスイッチＳＷ１のＯＮ／ＯＦＦを制御するドライブ回路ＤＲＶ１およびこれらの構成要素と外部構成要素とを接続する端子Ｔ１〜Ｔ１２を備える。
【００２２】
ラッチングリレーＫ０の接点セット用駆動コイルＳ０＿ＳＥＴは、信号入力用の端子（テフロン（登録商標）端子）Ｔ２およびＴ３と接続される。接点リセット用駆動コイルは陽極が＋２８Ｖのリレードライブ電源に接続され、陰極はＦＥＴスイッチＳＷ１のドレインＤと接続される。ＦＥＴスイッチＳＷ１のソースＳは、電源入力の陰極用端子Ｔ１２に接続され、ゲートＧはドライブ回路ＤＲＶ１に接続される。また、ドライブ回路ＤＲＶ１は、ラッチングリレーＫ０の接点セット用駆動コイルの陽極および陰極に接続されており、点火指令信号を入力している。ラッチングリレーＫ０の接点Ｓ０１は、一端が＋２８Ｖリレードライブ電源に接続されており、他端はノンラッチリレーＫ１〜Ｋ４の駆動部に接続されている。また、ラッチングリレー接点Ｓ０２は、一端が電源入力側の陽極用端子Ｔ１に接続されており、他端は電流制限用抵抗Ｒ１〜Ｒ４の一端に接続されている。電流制限用抵抗Ｒ１〜Ｒ４の他端は、ノンラッチリレーＫ１〜Ｋ４の接点に順に接続されており、他端は電源出力側の陽極用端子Ｔ４〜Ｔ７に順に接続されている。電源出力側の陰極用端子Ｔ８〜Ｔ１１は、電源入力側の陰極用端子と接続されている。
【００２３】
次に、図２に示す本発明によるオードナンス制御回路２０Ａの動作を説明する。ノンラッチ点火リレーＫ１〜Ｋ４の制御は、ラッチング点火制御リレーＫ０により行われる。ラッチング点火制御リレーＫ０は、ＦＥＴスイッチＳＷ１のＯＮ／ＯＦＦと点火指令信号により制御される。衛星打ち上げ時から点火指令信号を受ける間、ラッチング点火制御リレーＫ０は、ＦＥＴスイッチＳＷ１のＯＮにより接点リセット用駆動コイルＳ０＿ＲＳＴ側に常時電力を供給しており、接点Ｓ０１および接点Ｓ０２が電磁力によりリセット（ＯＰＥＮ）で固定されている。ラッチング点火制御リレーＫ０の接点Ｓ０１および接点Ｓ０２がリセットで固定されることにより、ノンラッチ点火リレー駆動部Ｋ１〜Ｋ４へのラインが完全にオープンとなり、リレードライブ信号が出力されない。同時に、接点Ｓ０２により電源ラインが完全にオープンとなり、電流制限用抵抗Ｒ１〜Ｒ４およびノンラッチ点火リレーＫ１〜Ｋ４接点まで電源が供給されない。このため、オードナンス制御回路２０Ａの出力ラインが遮断され電源が出力しない。
【００２４】
点火指令信号を受けたとき、ＦＥＴスイッチＳＷ１がＯＦＦし、接点リセット用駆動コイルＳ０＿ＲＳＴへの電力供給がクリアーされ、逆に接点セット用駆動コイルＳ０＿ＳＥＴに電力が供給される。接点セット用駆動コイルＳ０＿ＳＥＴに電力が供給されることにより、ラッチング点火制御リレーＫ０の接点Ｓ０１およびＳ０２がセットされ、ノンラッチ点火リレー駆動部Ｋ１〜Ｋ４にドライブ信号が出力される。これにより、ノンラッチ点火リレーＫ１〜Ｋの４接点がセット（導通）となり、ノンラッチ点火リレー接点Ｋ１〜Ｋ４まで電源が供給され、オードナンス制御回路２０Ａの出力ラインに電源が出力される。また、オードナンス制御回路２０Ａに電源が一定時間出力された後に点火指令信号はクリアーされ、ラッチング点火制御リレーＫ０の接点セット用駆動コイルＳ０＿ＳＥＴへの電力供給がクリアーされる。同時に、ＦＥＴスイッチＳＷ１がＯＮし、ラッチング点火制御リレーＫＯの接点リセット駆動コイルＳ０＿ＲＳＴへ再び電力が供給され接点Ｓ０１およびＳ０２がリセットとなる。
【００２５】
接点Ｓ０１がリセットすることにより、ノンラッチ点火リレー駆動部Ｋ１〜Ｋ４へのラインが再びオープンとなり、ドライブ信号が出力されなくなる。同時に、接点Ｓ０２がリセットされ、電源ラインがオープンとなり、電流制限用抵抗Ｒ１〜Ｒ４およびノンラッチ点火リレーＫ１〜Ｋ４接点まで電源が供給されなくなる。このため、オードナンス制御回路２０Ａの出力ラインが遮断され、電源が出力されなくなる。尚、ノンラッチ点火リレーＫ１〜Ｋ４の接点駆動用コイルおよびラッチング点火制御リレーＫ０の接点リセット用駆動コイルＳ０＿ＲＳＴには、リレー接点の不感動電圧に下がるまで余裕のある＋２８Ｖを使用している。
【００２６】
以上、本発明によるオードナンス制御回路の好適実施形態例およびそれを使用するオードナンス回路の構成および動作を詳細説明した。しかし、斯かる実施形態例は、本発明の単なる例示に過ぎず、何ら本発明を限定するものではない。本発明の要旨を逸脱することなく、特定用途に応じて種々の変形変更が可能であること、当業者には容易に理解できよう。
【００２７】
【発明の効果】
以上の説明から明らかな如く、本発明によるオードナンス制御回路によると、次の如き実用上の顕著な効果が得られる。第１に、ロケット打ち上げ時や火工品の点火時に生じる振動・衝撃に対し、点火制御リレーの誤動作の可能性を排除又は低減することである。その理由は、点火制御リレーにノンラッチリレーを使用していた従来技術と異なり、ラッチングリレーを採用し且つラッチングリレーの接点リセット駆動用コイルに目的の火工品点火時以外、常に電力を供給することで電磁力により接点をリセットで固定するためである。
【００２８】
第２に、複数の点火リレーが１つでも誤動作しても、それに接続されている火工品を誤点火させることがない。その理由は、点火制御リレーで使用しているラッチングリレーの２接点中１接点を衛星バッテリーの陽極と電流制限用抵抗間に直列で接続することで、目的の火工品の点火時以外は衛星バッテリーラインを遮断しているためである。
【００２９】
第３に、点火リレーのショート故障と火工品の点火後における陽極および陰極間の導通（異常時）で生じる過電流に対し部品を追加することなく、衛星バッテリーへの波及故障を防止できる。その理由は、点火制御リレーで使用しているラッチングリレーの２接点中１接点を衛星バッテリーの陽極および電流制限用抵抗間に直列で接続することで、目的の火工品点火時以外は衛星バッテリーラインを遮断しているためである。
【００３０】
第４に、点火リレーおよび点火制御リレーのドライブを確実とすることができる。その理由は、供給時間により電圧降下が生じる衛星バッテリーからのリレードライブ電源ラインを、リレーの不感動電圧に下がるまで余裕のある電圧源＋２８Ｖ出力にリレードライブ電源を全て変更するためである。この＋２８Ｖ電源は、常時電源であるため、衛星打ち上げ前から電源が供給されている。
【図面の簡単な説明】
【図１】本発明によるオードナンス制御回路の好適実施形態例を使用するオードナンス回路の構成図である。
【図２】図１に示す本発明によるオードナンス制御回路の好適実施形態例の構成を示す図である。
【図３】従来のオードナンス回路の構成図である。
【符号の説明】
１０                バッテリー
２０、２０Ａ        オードナンス制御回路
３０                火工品群
Ｋ０                点火制御リレー（ラッチングリレー）
Ｋ１〜Ｋ４          点火リレー（ノンラッチリレー）
Ｒ１〜Ｒ４          電流制限用抵抗（巻線抵抗）
ＳＷ１              電子（ＦＥＴ）スイッチ
ＤＲＶ１            ドライブ回路
ＳＯ＿ＳＥＴ        接点セット用駆動コイル
ＳＯ＿ＲＳＴ        接点リセット用駆動コイル
ＳＯ１              第１接点
ＳＯ２              第２接点
【図１】
0004428814.tif 000002
【図２】
0004428814.tif 000003
【図３】
0004428814.tif 000004